(57)【要約】  【課題】  簡単確実に所望の点灯状態を記憶及び再現できる照明器具用リモコン送信器を提供する。  【解決手段】  本体１１に、複数の押しボタンスイッチ１〜４及び１２〜１６と、押しボタンスイッチに対して開閉可能な蓋１７と、蓋１７の開閉状態に連動して押しボタンスイッチの機能をシフトするシフトスイッチ１８とを備え、特定の押しボタンスイッチ１〜４は蓋１７が閉じた状態で蓋１７の孔１９から露出される照明器具用リモコン送信器である。そして、蓋１７が開いた状態で特定の押しボタンスイッチ１〜４(例えば１)を押すことにより、照明器具２０側に所望の点灯状態を記憶させるためのシーン記憶信号が送信され、蓋１７を閉じた状態で前記特定の押しボタンスイッチ１〜４(例えば１)を押すことにより、照明器具２０側に記憶された前記所望の点灯状態を再現させるシーン再現信号が送信されるものである。【選択図】  図１
2005276726.tif 000002
【特許請求の範囲】
【請求項１】
本体に、複数の押しボタンスイッチと、押しボタンスイッチに対して開閉可能な蓋と、蓋の開閉状態に連動して押しボタンスイッチの機能をシフトするシフトスイッチとを備え、特定の押しボタンスイッチは蓋が閉じた状態で蓋の孔から露出される照明器具用リモコン送信器であって、蓋が開いた状態で特定の押しボタンスイッチを押すことにより、照明器具側に所望の点灯状態を記憶させるためのシーン記憶信号が送信され、蓋を閉じた状態で前記特定の押しボタンスイッチを押すことにより、照明器具側に記憶された前記所望の点灯状態を再現させるシーン再現信号が送信されるものである照明器具用リモコン送信器。
【請求項２】
請求項１において、本体の正面左側に所望の点灯状態を設定するための押しボタンスイッチを配置するとともに、本体の正面右側に特定の押しボタンスイッチを配置し、蓋は本体の正面右端付近にて開閉可能に軸支された照明器具用リモコン送信器。
【発明の詳細な説明】
【技術分野】
【０００１】
本発明は、所望の点灯状態を記憶及び再現できる照明器具用リモコン送信器に関する。
【背景技術】
【０００２】
照明器具用ではない特許文献１のリモコン送信器は、本体に、複数の押しボタンスイッチと、押しボタンスイッチに対して開閉可能な蓋と、蓋の開閉状態に連動して押しボタンスイッチの機能を変える検出スイッチとを備え、特定の押しボタンスイッチは蓋が閉じた状態で蓋の外面から押圧可能としたものである。そして、当該特定の押しボタンスイッチには蓋の開閉状態に対応して全く別の機能が割り付けられている。
【特許文献１】実開平１０−１５９号公報
【発明の開示】
【発明が解決しようとする課題】
【０００３】
ところで、照明器具用のリモコン送信器では、ランプの調光度(または／および光色)などを食事、団欒、就寝などのシーンに応じて所望の点灯状態をもたらすシーン設定状態を特定の押しボタンスイッチを押すことにより照明器具側に記憶でき、かつ、そのようなシーンに応じて特定の押しボタンスイッチを押すことにより、照明器具側に記憶されていたシーンを瞬時に再現できるようにするのが望ましい。しかし、従来の照明器具用リモコン送信器では、照明器具側に所望の点灯状態を記憶させるためのシーン記憶信号を送信する場合は、別に用意されたシフトボタンスイッチを押しながら特定の押しボタンスイッチを押しており、また、照明器具側に記憶されていたシーンを再現させるシーン再現信号を送信する場合は、前記シフトボタンスイッチを押さずに前記特定の押しボタンスイッチを押していたため、操作が分かりにくく、間違いやすかった。本発明はこのような解決すべき課題を鑑み、簡単確実に所望の点灯状態を記憶及び再現できる照明器具用リモコン送信器を提供することを目的とする。
【課題を解決するための手段】
【０００４】
本発明を要約すると、本体に、複数の押しボタンスイッチと、押しボタンスイッチに対して開閉可能な蓋と、蓋の開閉状態に連動して押しボタンスイッチの機能をシフトするシフトスイッチとを備え、特定の押しボタンスイッチは蓋が閉じた状態で蓋の孔から露出される照明器具用リモコン送信器であって、蓋が開いた状態で特定の押しボタンスイッチを押すことにより、照明器具側に所望の点灯状態を記憶させるためのシーン記憶信号が送信され、蓋を閉じた状態で前記特定の押しボタンスイッチを押すことにより、照明器具側に記憶された前記所望の点灯状態を再現させるシーン再現信号が送信されるものである照明器具用リモコン送信器である。
【発明の効果】
【０００５】
本発明によれば、蓋を開いた状態と閉じた状態に対応して同一の押しボタンスイッチにより照明シーンの記憶と再現が行え、記憶・再現操作が簡単確実になる。
【発明を実施するための最良の形態】
【０００６】
次に、本発明の実施形態を説明するが、それはあくまで本発明に基づいて採択された例示的な実施形態であり、本発明をその実施形態に特有な事項に基づいて限定解釈してはならず、本発明の技術的範囲は、特許請求の範囲の請求項に示した事項さらにはその事項と実質的に等価である事項に基づいて定めなければならない。
【０００７】
図示の実施形態は、本体１１に、複数の押しボタンスイッチ１〜４及び１２〜１６と、押しボタンスイッチに対して開閉可能な蓋１７と、蓋１７の開閉状態に連動して押しボタンスイッチの機能をシフトするシフトスイッチ１８とを備え、特定の押しボタンスイッチ１〜４は蓋１７が閉じた状態で蓋１７の孔１９から露出される照明器具用リモコン送信器である。そして、蓋１７が開いた状態で特定の押しボタンスイッチ１〜４(例えば１)を押すことにより、照明器具２０側に所望の点灯状態を記憶させるためのシーン記憶信号が送信され、蓋１７を閉じた状態で前記特定の押しボタンスイッチ１〜４(例えば１)を押すことにより、照明器具２０側に記憶された前記所望の点灯状態を再現させるシーン再現信号が送信されるものである。この実施形態によれば、蓋１７を開いた状態と閉じた状態に対応して同一の押しボタンスイッチ１〜４のいずれかにより照明シーンの記憶と再現が行え、記憶・再現操作が簡単確実になる。
【０００８】
また、本体１１の正面左側に所望の点灯状態を設定するための押しボタンスイッチ１２〜１６を配置するとともに、本体１１の正面右側に特定の押しボタンスイッチ１〜４を配置し、蓋１７は本体１１の正面右端付近にて開閉可能に軸支されている。このようにすると、図１のように蓋１７を右側に開いた状態で蓋１７が邪魔になるため、右手だけで本体１１を保持しながらその親指で押しボタンスイッチ１〜４及び１２〜１６を押しにくいものとなる。そうすると、シーン記憶のための押しボタンスイッチ１〜４をうっかりと押してしまうおそれが格段に減少し、既にユーザーが照明器具２０側にシーン記憶操作していたような押しボタンスイッチ１〜４(例えば１)を押してしまうことが防止される。しかして、ユーザーは、本体１１を左手で保持しながら右手の指にて押しボタンスイッチ１〜４及び１２〜１６を押圧操作することになり、操作の誤りを防止する上で好ましくなる。また、シーン設定操作を行うための押しボタンスイッチ１２〜１６は、通常使用時には蓋１７により隠された状態になり、シーン再現操作は非常に分かりやすくなる。
【０００９】
さらに詳述すれば、蓋１７の開閉に関係なく本体１１の正面下部には「全消灯」の押しボタンスイッチ２１が露出して設けられる。また、シフトスイッチ１８は蓋１７が閉じられると蓋１７の裏面の突起２２で押圧されてオンし、蓋１７が開かれると前記突起２２による押圧が解除されることによりオフし、これにより少なくとも押しボタンスイッチ１〜４の機能がシフトされる。また、本リモコン送信器はマイコン２３を備え、押しボタンスイッチ１〜４、１２〜１６、２１、さらにシフトスイッチ１８はマイコン２３に接続されている。また、マイコン２３には液晶などによる表示器２４が接続されている。そして、押しボタンスイッチ１〜４、１２〜１６、２１が押圧されると、マイコン２３の制御出力信号は適宜、電流増幅されて赤外発光ダイオード２５からリモコン信号２６を送信する。一方、照明器具２０側では、交流電源２７を高周波インバータなどの点灯回路２８に与えて、点灯回路２８によりランプ２９を付勢している。そして、リモコン信号２６は受光部３０で受信してマイコン３１によりそのリモコンコードを判定し、その判定に基づいた制御信号で点灯回路２８が制御されることにより、ランプ２９の点灯状態が制御される。さらに、マイコン３１には好ましくは例えばEEPROM３２が接続され、交流電源２７の停止を考慮してEEPROM３２が必要な記憶をバックアップしている。
【００１０】
次に、本リモコン送信器の使用法について述べる。最初に、図１のように蓋１７を開いた状態で、照明器具２０側にシーンに応じた所望の点灯状態を記憶させるためのシーン記憶を行う。まず、対象とする照明器具２０が判読可能なリモコン信号を送信するのために、表示器２４を見ながら押しボタンスイッチ(CHANNEL DOWN)１２または押しボタンスイッチ(CHANNEL UP)１３を押してチャンネル表示を順次変えながら、照明器具２０に合うチャンネルを選択する。ここでは、例えばチャンネル「Ｉ−２」を選択している。なお従来は多チャンネルに対応するにはロータリーエンコーダなどを用いていたが、本実施形態ではＵＰ／ＤＯＷＮスイッチ１３／１２と表示器２４にて送信信号のチャンネル設定と表示を行え、操作性・視認性が向上している。次に、照明器具２０のランプ２９の点灯／消灯を設定するON/OFFスイッチ１４を押して、ランプ２０の点灯または消灯を選択する。さらに、ランプ２０が点灯(ON)の場合、明スイッチ１５または暗スイッチ１６を押してランプ２０の調光度を設定する。そして、右列の特定の押しボタンスイッチ１〜４のうちのいずれかを押す。例えば、押しボタンスイッチ１を押すと、ここで設定したランプ２９の点灯状態は、照明器具２０側にシーン記憶信号として送信され、照明器具２０では受光部３０で受信されてマイコン３１がその信号コードを判定して、リモコン送信器側で設定したランプ２９の点灯／消灯状態とその調光度が、マイコン３１内の記憶エリアの所定のアドレスに記憶される。これを例えば「シーン１」とする。また、その記憶内容はEEPROM３２にも書き込まれるため、交流電源２７の停止時にもバックアップされ、次に、シーン記憶信号を受信するまでその内容の書き換えを行わない。
【００１１】
次に、照明器具２０側に記憶させた前述の「シーン１」を再現するには、蓋１７を閉じた状態で押しボタンスイッチ１を押すとよい。これにより、リモコン送信器は「シーン１」を再現するためのシーン再現信号を送信するため、照明器具２０側のマイコン３１にて前記アドレスに記憶されている点灯／消灯状態とその調光度を呼び出して再現し、ランプ２９が「シーン１」に相当する点灯状態になる。なお、周知のことであるが、リモコン信号は、メーカコード・商品コード・データコード等の直列伝送信号により成り立っているが、そのうちのデータコード(8bit)を用いて、シーン記憶／再現の区別、指定アドレス、点灯状態などを区別した多くの信号群が作成利用される。
【図面の簡単な説明】
【００１２】
【図１】本発明の実施形態によるリモコン送信器の開蓋時正面図
【図２】同閉蓋時正面図
【図３】同リモコン送信器の回路ブロック図
【図４】リモコン照明器具の回路ブロック図
【符号の説明】
【００１３】
１〜４  押しボタンスイッチ
１１  本体
１２〜１６  押しボタンスイッチ
１７  蓋
１８  シフトスイッチ
１９  孔
２０  照明器具
【図１】
2005276726.tif 000003
【図２】
2005276726.tif 000004
【図３】
2005276726.tif 000005
【図４】
2005276726.tif 000006